(57)【要約】【課題】  操作しやすいノック式筆記具を提供する。【解決手段】  中空であって筆記部材６０を内側に格納する軸筒３０と、軸筒の後端部から突出した状態で装備されると共に軸筒の後端部よりも小径のノック体７０と、軸筒の後端部からノック体の間に設けられた弾性体からなるノック体カバー９０とを備え、ノック体カバーを、後方に向かって徐々に縮径する形状とした。【選択図】図１
2008254328.tif 000002
【特許請求の範囲】
【請求項１】
中空であって筆記部材を内側に格納する軸筒と、
前記軸筒の後端部から突出した状態で装備されると共に前記軸筒の後端部よりも小径のノック体と、
前記軸筒の後端部から前記ノック体の間に設けられた弾性体からなるノック体カバーとを備え、
前記ノック体カバーを、後方に向かって徐々に縮径する形状としたことを特徴とするノック式筆記具。
【請求項２】
前記ノック体カバーは、前記軸筒との連結部と前記ノック体との連結部とを有し、
前記各連結部の間を薄肉となる可撓部により連結したことを特徴とする請求項１記載のノック式筆記具。
【請求項３】
前記軸筒との連結部と前記ノック体との連結部の少なくともいずれか一方は、凹凸の嵌合による連結構造とし、当該連結構造により連結される前記軸筒又は前記ノック体と前記ノック体カバーとの境界の端面同士を押圧状態で保持することを特徴とする請求項２記載のノック式筆記具。
【請求項４】
前記ノック体カバーの外周面と前記軸筒の外周面との境界と前記ノック体カバー外周面と前記ノック体の外周面との境界の双方を、外周面同士の境界に段差が生じないように前記各外周面位置を揃えたことを特徴とする請求項１から３のいずれか一項に記載のノック式筆記具。
【請求項５】
前記ノック体カバーを略円錐形状としたことを特徴とする請求項１から４のいずれか一項に記載のノック式筆記具。
【発明の詳細な説明】
【技術分野】
【０００１】
本発明は、押圧操作を行うノック体を備えるノック式筆記具に関するものである。
【背景技術】
【０００２】
従来のノック式筆記具は、軸筒の後端部にノック体を備え、軸筒とノック体との間に蛇腹状或いは筒状の弾性体を介挿し、前記隙間からのゴミや塵芥の侵入を防いでいた（例えば特許文献１参照）。
また、従来のノック式シャープペンシルは、軸筒の後端部にノック体を備え、軸筒とノック体との間に筒状の弾性体を介挿し、軸筒とノック体と弾性体とを一定の外径としていた（例えば特許文献２参照）。
さらに、他の従来のノック式筆記具は、軸筒の後端部に当該軸筒と同じ外径のノックキャップを備え、軸筒とノックキャップとの間に伸縮筒部を介挿していた。
【特許文献１】実開昭５８−２６５８２号公報
【特許文献２】実開昭５４−２６５８２号公報
【特許文献３】実開昭５４−１７４４４７号公報
【発明の開示】
【発明が解決しようとする課題】
【０００３】
しかしながら、上記各従来技術はいずれも長手方向に渡って外径が一定の弾性体や伸縮筒部を備える構成である。このため、ノック体の押圧操作時には、弾性体や伸縮筒部が外側に向かって膨らみを生じ、かかる膨らみが押圧操作の妨げとなり、操作性の低下を招いていた。
【０００４】
本発明は、操作しやすいノック式筆記具を提供することをその目的とする。
【課題を解決するための手段】
【０００５】
請求項１記載の発明は、中空であって筆記部材を内側に格納する軸筒と、前記軸筒の後端部から突出した状態で装備されると共に前記軸筒の後端部よりも小径のノック体と、前記軸筒の後端部から前記ノック体の間に設けられた弾性体からなるノック体カバーとを備え、前記ノック体カバーを、後方に向かって徐々に縮径する形状としたことを特徴とする。
【０００６】
請求項２記載の発明は、請求項１記載の発明と同様の構成を備えると共に、前記ノック体カバーは、前記軸筒との連結部と前記ノック体との連結部とを有し、前記各連結部の間を薄肉となる可撓部により連結したことを特徴とする。
【０００７】
請求項３記載の発明は、請求項２記載の発明と同様の構成を備えると共に、前記軸筒との連結部と前記ノック体との連結部の少なくともいずれか一方は、凹凸の嵌合による連結構造とし、当該連結構造により連結される前記軸筒又は前記ノック体と前記ノック体カバーとの境界の端面同士を押圧状態で保持することを特徴とする。
【０００８】
請求項４記載の発明は、請求項１から３のいずれか一項に記載の発明と同様の構成を備えると共に、前記ノック体カバーの外周面と前記軸筒の外周面との境界と前記ノック体カバー外周面と前記ノック体の外周面との境界の双方を、外周面同士の境界に段差が生じないように前記各外周面位置を揃えたことを特徴とする。
【０００９】
請求項５記載の発明は、請求項１から４のいずれか一項に記載の発明と同様の構成を備えると共に、前記ノック体カバーを略円錐形状としたことを特徴とする。
【発明の効果】
【００１０】
請求項１記載の発明は、ノック体カバーが後方に向かって徐々に縮径する形状であることから、ノック体の押圧操作時にノック体カバーが圧縮されて撓みを生じた場合であっても、軸筒の後端部よりも外側まで広がることを効果的に防止し、押圧操作時の妨げとならないことから操作性の向上を図ることが可能となる。
また、軸筒の後端部からノック体の間にノック体カバーを設けたので、軸筒とノック体の隙間からのゴミや塵芥の侵入を効果的に防止することが可能となる。
また、ノック体カバーは弾性体から形成されているので、ノック体の押圧操作時に、コイルバネのみならずノックカバーの弾性による抵抗力を生じ、誤ってノック操作を行われることを抑制することが可能となる。
【００１１】
また、筆記具は、筆立てや陳列ケース等に収納し、或いは紙面の隙間に挿入して栞代わりに使用されたりする場合があるが、筆記具の前端部から収納し、或いは、隙間に挿入すると、それらの際にノック体を誤って操作された場合に、筆記部材により筆立て、収納ケース又は紙面などの筆記具の前方にあるものを汚してしまう可能性がある。
請求項１記載の発明では、ノック体を軸筒の後端部よりも小径とし、ノック体カバーを後方に向かって縮径する形状としたので、筆記具の後端部の外部形状が軸筒後端部の外径からノック体の外径に徐々に縮径する形状となっている。このため、後端部側から容易に収納し或いは挿入することができ、収納先や挿入先を汚すことなく、筆立てや陳列ケース等に収納したり、栞代わりに使用することが可能となる。
【００１２】
また、多くの筆記具は、筆記を行う前端部側が前方に向かうに従って縮径した形状に形成されており、仮に、請求項１記載の発明をそのような前端部が縮径した形状の筆記具に適用した場合には、その後端部側にも縮径形状のノック体カバーを設けることにより、筆記具の前端部と後端部とを略対称の形状とすることができる。外形に対称な部分を備える物体は、視覚的に特徴的な印象を与えると共にシルエットからも容易に認識することができることから、例えば、他の筆記具と混在しているような状況下でも、本願の筆記具を容易に識別することが可能となる。つまりの他の筆記具との取り間違えを防止することが可能となる。
【００１３】
請求項２記載の発明は、ノック体カバーが後方に向かうに従って縮径する形状であって、なお且つ、軸筒との連結部とノック体との連結部との間に薄肉となる可撓部を有するので、ノック体の押圧操作時に、可撓部が撓むことで、カバーのノック体側の端部が軸筒側の端部の内側に入り込み、外側への膨出変形を防止し、より押圧操作時の妨げとならないことから操作性のさらなる向上を図ることが可能となる。
【００１４】
また、可撓部が薄肉であることから、ノック体の押圧操作時に可撓部が折りたたまれるように撓むことで（例えば、図６参照）、ノック体カバーが収縮状態を維持することが可能となる。
仮に、請求項２記載の発明をノック式のボールペンに適用した場合、当該ノック式ボールペンは、ノック体を操作し、カム構造を備えることでペン先の前進状態と後退状態を切り替えることとなるが、このような二位置切り替えを可能とする一般的なカム構造にあっては、ペン先を前進位置に切り替えた時にノック体側には位置保持力を与えることができず、フリーな状態となってしまう。その場合、ペン使用時にはノック体が勝手に揺れて雑音を生じたりする可能性がある。このため、ノック体単体の位置保持を行うためにバネを挿入することも考えられるが、ペン先を前進位置に切り替えても、ノック体は元の位置（押し込み前の状態）に戻ってしまうため、ペン先の前進状態又は後退状態をノック体から確認できない。本願発明は、ノック体カバーがフリー状態のノック体を押し込み位置で保持することから位置保持のバネを不要とし、ノック体の振動の雑音を解消するとともに、ノック体の位置でペン先の前進状態又は後退状態を確認することが可能となる。
【００１５】
請求項３記載の発明は、軸筒との連結部又はノック体との連結部を凹凸の嵌合による連結構造とすることで前後方向への力を受けても高い連結の保持力を維持することができる。そのため、前記連結構造により連結される軸筒又はノック体とノック体カバーとの境界の端面同士を押圧状態で保持しても、連結状態が損なわれることなく、境界において隙間の発生を効果的に防止することが可能となる。
【００１６】
請求項４記載の発明は、ノック体カバーの外周面と軸筒の外周面との境界とノック体カバー外周面とノック体の外周面との境界の双方を段差が生じないようにしたことから、筆記具を後端部から差し込む際に、段差による引っかかりを解消し、円滑に差し込むことを可能とする。
また、軸筒からノック体に至るまでを段差のない滑らかな外形とすることができ、凹凸のある場合のような煩雑な印象を解消することを可能とする。
【００１７】
請求項５記載の発明は、ノック体カバーを略円錐形状としたため、筆記具後端側からの挿入をより容易とすることが可能となる。
また、前端部が円錐形状の筆記具に本発明を適用すれば、前端部と後端部との形状の対称性をより顕著とし、本願の筆記具を他の筆記具の中からさらに容易に識別することが可能となる。
【発明を実施するための最良の形態】
【００１８】
（実施形態の全体構成）
図１は本発明の実施形態であるノック式筆記具としてのノック式ボールペン１０の側面図、図２は図１のＸ−Ｘ線に沿ったノック式ボールペン１０の断面図である。なお、筆記具について筆記を行う先端側を「前」、その反対側を「後」と称することとする。
ノック式ボールペン１０は、図１及び２に示すように、軸筒３０と、軸筒３０の前端部に装着された前キャップ５０と、前キャップ５０の外周面を覆うキャップカバー５５と、軸筒３０内に格納され、先端に筆記部を有する筆記部材としてのボールペンレフィル６０と、当該ボールペンレフィル６０の先端部を前キャップ３０の前端から突出させた使用位置と突出しない待避位置とに切り替える操作を入力するノック体７０と、ノック体７０の操作によりボールペンレフィル６０の二位置の切り替えを行うカム構造部８０と、軸筒３０の後端部からノック体７０の間に渡って設けられた弾性体としてのノック体カバー９０とを備えている。
以下、各部について詳細に説明する。
【００１９】
（軸筒）
軸筒３０は、筒状の内部胴３１と、筒状であって内部胴３１の後端部に連結された内部鞘３２と、内部胴３１の外側に装着される外部胴３３と、内部鞘３２の外側に装着される外部鞘３４と、内部胴３１の後端部の外周面上であって外部胴３３と外部鞘３４との間に設けられた胴リング３５とを有している。
【００２０】
上記内部胴３１と内部鞘３２とはいずれも両端部が開口した筒状体であり、内部胴３１の後端部に設けられた雌ネジと内部鞘３２の前端部に設けられた雄ネジとを螺合させて連結されている。そして、内部胴３１と内部鞘３２の連結時にはそれぞれの中空内部が連通し、本体部３０は一つの筒状体を形成する。
【００２１】
内部胴３１には、その前端部の外周面に雄ネジが形成され、前キャップ５０の内側に形成された雌ネジが螺合して前キャップ５０が装着される。
また、内胴部３１の後端部には、他の部位に比して外径と内径とが大きく設定された大径部３１ａが形成されている。さらに、大径部３１ａの内周面には前述した内部鞘３２と連結するための雌ネジが形成されており、また、その外周面には胴リング３５が回転可能に装着されている。
【００２２】
図３は胴リング３５の周辺を前後方向に沿った断面で示した断面図である。胴リング３５は、略円形リング状であって、その前端部の内周面に内側に向かって突出した段部３５ａが形成されている。また、前述した内部胴３１の大径部３１ａの外周面上は、その前端部側が後半部側に比して小径となり、前半部と後半部との境界には段部３１ｂが形成されている。そして、胴リング３５は、その段部３５ａが大径部３１ａの段部３１ｂに嵌合した状態で大径部３１ａの外周面上に配設される。そして、これらの段部３５ａ，３１ｂが互いに嵌合することにより胴リング３５は大径部３１ａに対してそれ以上後方に移動しないように位置決めされる。
【００２３】
また、胴リング３５には、その円周の一部分が枠状に形成されると共に内外に貫通した開口部３５ｂが形成されており、当該開口部３５ｂには拡大レンズ３７が嵌合装備されている。拡大レンズ３７は、円形の胴リング３５の半径方向に光軸を向けた状態で胴リング３５に装備されており、開口部３５ｂから覗くことが可能な大径部３１ａの外周面の一部の範囲を拡大して外部に示すことを可能としている。また、前述したように、胴リング３５は、大径部３１ａに対して回転可能に装着されているので、大径部３１ａの外周面上に複数の表示（文字、記号、数字、図柄、模様等）を周方向に沿って列記しておくことにより、胴リング３５の回転操作により各表示を選択的に拡大して外部に表示することが可能となる。
【００２４】
外部胴３３は、その両端部が開口した筒状体であり、ほぼ全長に渡ってその内径は内部胴３１の外径（大径部３１ａ以外の部分の外径）とほぼ等しく設定され、内部胴３１が挿入された状態で当該内部胴３１に支持されるようになっている。また、外部胴３３は、その内側の前端部と後端部にそれぞれ段部３３ａ，３３ｂが形成されており、前端部側の段部３３ａには後述する前キャップ５０の後端部が嵌合し、後端部側の段部３３ｂには内部胴３１の大径部３１ａの前端部が嵌合する。
また、外部胴３３は、ノック式ボールペン１０の前半部の外周面のほぼ全体を覆った状態となることから、ノック式ボールペン１０の使用時に丁度把持される配置となる。これに対応して、外部胴３３の外周面はその長手方向両端部から中間部に向かってなだらかに縮径し、握りに適した絞り形状が形成されている。さらに、外部胴３３は、弾性素材（例えば、シリコンゴム等）から形成されており、使用時に手で握られた時にその弾性によって適度な変形を生じ、手の中でのフィット感や握り易さを確保している。
【００２５】
また、外部胴３３は、前キャップ５０の後端面と大径部３１ａの前端面との間に挟まれて内部胴３１に保持される。さらに、外部胴３３の段部３３ａの深さが、前キャップ５０の後端面からキャップカバー５５の後端面までの距離よりも長く設定されているので、外部胴３３の装着時において、その前端面をキャップカバー５５の後端面に圧接させて隙間なく密着させることが可能となる。また、同様に、外部胴３３の段部３３ｂの深さが、大径部３１ａの前端面から胴リング３５の前端面までの距離よりも長く設定されているので、外部胴３３の装着時において、その後端面を胴リング３５の前端面に圧接させて隙間なく密着させることが可能となる。そして、これにより、胴リング３５は後方に押圧されて、その段部３５ａを大径部３１ａの段部３１ｄに嵌合させつつ所定位置に位置保持される。
なお、前述したように、胴リング３５は回転操作されるため、弾性素材である外部胴３３との摺動摩擦を回避するために、外部胴３３と胴リング３５との間には滑りの良い素材からなるワッシャー３６が介挿されている。なお、図２ではワッシャー３６の存在を確認しやすくするために実際よりも幅広に記載している。
【００２６】
内部鞘３２は、図２に示すように、全体的に筒状に形成されており、その前端部の外周面に雄ネジが形成され、前述した内部胴３１の大径部３１ａの内側の雌ネジに螺合して内胴部３１と連結される。
また、内部鞘３２の後部内側にはカム構造部８０が配設されると共に、内部鞘３２の後端部からはカム構造部８０の支持されたノック体７０が突出装備されている。そして、細部鞘３２の外側には当該内部鞘３２の外周面の全域を覆うようにして外部鞘３４が配設されている。
【００２７】
外部鞘３４は、図２に示すように、その両端部が開口した筒状体であり、ほぼ全長に渡ってその内径は内部鞘３２の外径よりも大きく設定され、内部鞘３２が挿入された状態で当該内部鞘３２に支持されるようになっている。また、外部鞘３４は、その内部に前端部と後端部にそれぞれ段部３４ａ，３４ｂが形成されており、前端部側の段部３４ａには前述した内部鞘３２の大径部３１ａの後端部が嵌合し、後端部側の段部３４ｂにはノック体カバー９０の内部鞘３２に対する連結部９１の縮径部９１ａ（後述）が嵌合する。
【００２８】
図４（Ａ）は外部胴３４の後端部を後方から見た図であり、図４（Ｂ）は図４（Ａ）のＹ−Ｙ線に沿った断面図である。この図４に示すように、内部鞘３２と外部鞘３４とは、外部鞘３４の後端部から内部鞘３２が挿入されることにより結合される構造となっている。即ち、外部鞘３４の内周面上であって段部３４ｂよりも幾分前方の位置には、全周に渡って凸状となる係止凸部３４ｃが形成されている。これに対して、内部鞘３２の後端部近傍の外周面上には、内部鞘３２と外部鞘３４の後端部位置を揃えた状態において、外部鞘の係止凸部３４ｃより前側に位置する二つの小突起３２ａと係止凸部３４ｃより後側に位置する二つの突状部３２ｂとが突出して形成されている。つまり、これら小突起３２ａと突状部３２ｂとにより係止凸部３４ｃが挟まれることで、内部鞘３２と外部鞘３４とは互いの前後位置が決定される。
なお、二つの小突起３２ａは、内部鞘３２の円形の後端部を後方から見たときに、一の直径の両端部にそれぞれ配置され、二つの突状部３２ｂは、二つの小径部３２ａの両端に位置する直径に直交する直径の両端部にそれぞれ配置されている。
そして、各小径部３２ａは、内部鞘３２を外部鞘３４に挿入したときに、内部鞘３２又は外部鞘３４の弾性変形により係止凸部３４ｃを乗り越えることができるように、その突出量が設定されている。
また、各突状部３２ｂは、前後方向に沿った略直方体形状の突起であり、外部胴３４の段部３４ｂと係止凸部３４ｃとの間に形成された二つの溝部３４ｄに嵌合される。そして、各突状部３２ｂと各溝部３４ｄとが嵌合することにより、内部鞘３２と外部鞘３４とは、供回りするようになっている。
【００２９】
（前キャップ）
前キャップ５０は、図２に示すように、前方に向かうに従って縮径した略円錐状に形成されている。また、前キャップ５０はその中心が前後に貫通し、その後端開口部には雌ネジが形成されており、内部胴３１の前端部に形成された雄ネジに螺合して前キャップ５０は内部胴３１に連結される。また、前キャップ５０の内部には、ボールペンレフィル６０を後方に押圧するコイルバネ６１が配置されている。つまり、コイルバネ６１は前キャップ５０とボールペンレフィル６０との間にあってボールペンレフィル６０を常時後方に押圧している。
さらに、前キャップ５０の外周面の前端部と後端部にはキャップカバー５５を装着するための周溝５０ａ，５０ｂが形成されている。
【００３０】
（キャップカバー）
キャップカバー５５は、前述した外部胴３３と同じ弾性素材から形成されており、前キャップ５０の先端部５０ａを除く外周面のほぼ全体を覆うように装着される。かかるキャップカバー５５は、前端部と後端部の内側にそれぞれ内部を周回するように突状部５５ａ，５５ｂが形成されており、前述した前キャップ５０の周溝５０ａ，５０ｂに嵌合する。
キャップカバー５５は、前キャップ５０への装着時に、当該前キャップ５０の先端部５０ｃを残して外周面のその他の部分を被覆しており、前キャップ５０の先端部５０ｃの外周面とキャップカバー５５の外周面とに段差が生じないように連なっている。つまり、キャップカバー５５を装着した状態において、前キャップ５０はより円錐に近い形状となっている。
また、キャップカバー５５の後端部の外径は、前述した外部胴３３の前端部の外径とほぼ等しく設定されており、キャップカバー５５と外部胴３３との境界にも段差が生じないようになっている。
【００３１】
（ボールペンレフィル）
ボールペンレフィル６０は、連結された内部胴３１と内部鞘３２の内部中心に位置している。そして、ボールペンレフィル６０の前端部近傍には直径方向の両側に広げられた膨出部６２が形成されている。かかる膨出部６２は前述したコイルバネ６１の内径よりも幅が広く設定されており、コイルバネ６１にボールペンレフィル６０が挿入されると、膨出部６２にコイルバネ６１の後端部が当接するようになっている。これにより、ボールペンレフィル６０は常にコイルバネ６１により後方に押圧された状態となる。
【００３２】
（カム構造部）
図５（Ａ）はカム構造部８０の周辺における内部鞘３２の断面図であり、図５（Ｂ）は図５（Ａ）のＺ−Ｚ線に沿った断面図である。
カム構造部８０は、図２及び図５に示すように、ノック体７０と一体的に連結されて内部鞘３２の内部においてノック体７０を介して前後方向に往動移動操作される押棒８１と、当該押棒８１の前端部と係合して往復動作が付与される回転カム部材８２と、押棒８１と回転カム部材８２との間に設けられ、押棒８１の前後移動により回転カム部材８２に所定角度の回転動作を付与する第一のカム機構８３と、内部鞘３２と回転カム部材８２との間に設けられ、回転カム部材８２の所定角度の回転ごとに回転カム部材８２を前後の二位置に切り替える第二のカム機構８４とを備えている。
【００３３】
押棒８１は前後に貫通した筒状であり、その先端部の外周面には雄ネジが形成され、ノック体７０の後端部の内周面に形成された雌ネジと螺合して、互いに一体的に連結される。
また、押棒８１の後端部近傍の外周面上には、円周に沿って60度の間隔で六つの凸部８１ａを備えている。なお、内部鞘３２の内周面には各凸部８１ａに当接して押棒８１をそれ以上後方に移動しないように規制するストッパとしての縮径部３２ｃが形成されている。
なお、各凸部８１ａは、後述する第二のカム機構８４により内部鞘３２の内周面に形成される前後方向に沿った溝に嵌合して押棒８１の回り止めとしても機能する。
【００３４】
回転カム部材８２は、押棒８１の前方に位置し、その後半部は押棒８１の前端部に挿入可能な小径に設定されており、前半部は押棒８１の外径とほぼ等しく設定され、前半部と後半部の境界には段部が形成されている。また回転カム部材８２の前端部には内部鞘３２の内径に近い外径のフランジ部８２ａが形成されている。
回転カム部材８２は、前後に貫通した筒状であり、その前端部からボールペンレフィル６０の後端部が挿入されている。そして、回転カム部材８２の内部は後部が途中から縮径しており、当該縮径部にボールペンレフィル６０の後端部が当接するようになっており、回転カム部材８２はボールペンレフィル６０と共にコイルバネ６１から常時後方への押圧力が付与される。
また、この回転カム部材８２は押棒８１と共に内部鞘３２の前端部側から内部に挿入される。そして、内部鞘３２の前端部近傍であってその内周面には直径の両端位置から内側に突出した突起状のストッパ３２ｄが形成されており、内部に格納された押棒８１及び回転カム部材８２の脱落を防止している。かかる突起状のストッパ３２ｄは、その周囲の壁面がコ字状に切り欠かれて片持ち構造が形成されており、必要に応じて、強い力で回転カム部材８２及び押棒８１を前方に押圧すれば、ストッパ３２ｄを支持する片持ち構造部が外側に撓んで、それらを取り出すことが可能となっている。
【００３５】
第一のカム機構８３は、押棒８１の前端部において外周に沿って均一角度間隔（60°）で形成された六つの鋸歯状の歯部８５と、回転カム部材８２の段部において外周に沿って均一角度間隔（60°）で形成された六つの鋸歯状の歯部８６とを有している。
歯部８５，８６は互いに噛合可能であり、押棒８１と回転カム部材８２の接近時に、個々の歯部８５，８６が備える傾斜面が摺接して所定方向（図５（Ｂ）における時計回り）に回転カム部材８２を回転させる。
【００３６】
第二のカム機構８４は、回転カム部材８２の外周面において均一の角度間隔（120°）で形成された前後方向に沿った略レール状の三つの凸部８７と、内部鞘３２の内周面において均一の角度間隔（120°）で形成された前後方向に沿った三つの凸状ガイド部８８とを有している。
回転カム部材８２の外周面に形成された凸部８７は、前後方向に沿ったレール状であり、その後端部には傾斜面が形成されている。
凸状ガイド部８８は、その前端部が鋸歯状に形成されており、各凸状ガイド部８８の間には前後方向に沿った溝部８８ａが形成されている。
第二のカム機構８４は、凸状ガイド部８８の前端部を鋸歯状としたことにより形成される凹部８８ｂに凸部８７の後端部が嵌合することで回転カム部材８２及びボールペンレフィル６０を前位置（使用位置）に保持し、各凸状ガイド部８８の間に形成される溝部８８ａに凸部８７を侵入させることで回転カム部材８２及びボールペンレフィル６０を後位置（待避位置）に保持する。
なお、各凸状ガイド部８８の間に形成される溝部８８ａに凸部８７が位置する場合と各凸状ガイド部８８の凹部８８ｂに凸部８７が位置する場合のいずれの場合も、第一のカム機構８３の各歯部８５，８６は図５（Ａ）に示すように完全に噛み合わず、回転カム部材８２が反時計回り方向に幾分ずれた位置となるように第一及び第二のカム機構８３，８４は設定されている。
【００３７】
カム構造部８０による回転カム部材８２及びボールペンレフィル６０の位置切替動作を説明する。
回転カム部材８２が後位置にある状態で押棒８１が前方に押し込まれ、凸部８７の後端部が凸状ガイド部８８の前端部よりも前方に達すると、回転カム部材８２はその回転を規制するものがなくなり、回転カム部材８２がコイルバネにより後方に押圧されていることから、第一のカム機構８３における各歯部８５，８６のズレを解消する方向（時計回り方向）に回転する。その結果、凸部８７は、凸状ガイド部８８の傾斜面に沿って滑動し、凹部８８ｂに嵌合する。これによって、回転カム部材８２及びボールペンレフィル６０は前位置に切り替えられる。なお、このとき、押棒８１及びノック体７０は、コイルバネ６１の押圧力が回転カム部材８２から伝わらなくなり、前後方向についてフリーの状態となり、外力を受けると勝手に移動してしまう状態となる。
次に、回転カム部材８２が前位置にある状態で押棒８１が前方に押し込まれ、凸部８７の後端部が凹部８８ｂの前端部よりも前方に達すると、回転カム部材８２はその回転を規制するものがなくなり、回転カム部材８２がコイルバネにより後方に押圧されていることから、第一のカム機構８３における各歯部８５，８６のズレを解消する方向（時計回り方向）に回転する。その結果、凸部８７は、凸状ガイド部８８の傾斜面に沿って滑動し、溝部８８ａに侵入する。これによって、回転カム部材８２及びボールペンレフィル６０は後位置に切り替えられる。
このようにして、カム構造部８０はボールペンレフィル６０を使用位置と待避位置とに切り替える。
【００３８】
（ノック体）
図６はノック体７０の周囲の構成を示す断面図であり、図６（Ａ）はボールペンレフィル６０が待避位置にある状態、図６（Ｂ）は使用位置にある状態を示す。
ノック体７０は、全体的には円筒形状であって、全長に渡って軸筒３０の外径よりも小さく設定されている。そして、ノック体７０は、前述したように、カム構造部８０の押棒８１の後端部にネジ構造により連結される。そして、押棒８１に連結された状態において、ノック体７０は、図２及び図６に示すように、軸筒３０の後端部から突出した状態となり、ノック体７０の後端部を押圧操作されることでボールペンレフィル６０の位置切り替えが行われる。
かかるノック体７０は、後端部近傍に軸回りに周溝７１が形成されており、当該周溝７１よりさらに後端部７２は徐々に縮径した略円錐形状に形成されている。そして、後端部７２の中心には貫通穴が形成されている。
【００３９】
（ノック体カバー）
ノック体カバー９０は、その前端側に設けられた軸筒３０との連結部９１と、その後端側に設けられたノック体７０との連結部９２と、各連結部９１，９２との間に位置し、これらよりも薄肉に形成された可撓部９３とを備え、これらは弾性材料（例えばシリコンゴム等）から一体的に形成されている。
【００４０】
ノック体カバー９０は、後方に向かうに従って縮径した形状（略円錐形状）であって、その前端部と後端部とが開口し内部が中空に形成されている。
そして、ノック体７０との連結部９２は、後方から見て略リング状であって、その中心部にノック体７０の後端部７２を貫通させた状態でノック体７０の周溝７１に嵌合する形状となっている。つまり、連結部９２の内周側が凸部となって凹部となる周溝７１に嵌合して相互の連結を図る構造となっている。
また、連結部９２の前後幅は、周溝７１の幅よりも幾分広く設定されており、凹凸構造による連結部とノック体７１との連結時において、連結部９２と後端部７２の境界となる端面同士が圧接して隙間を生じないようになっている。
そして、連結部９２の後端部の外径とノック体７０の後端部７２の外径とがほぼ等しく設定されている。また、連結部９２の外周面は傾斜しており、後端部７２の外周面の傾斜角度とほぼ等しく設定されている。これにより、ノック体カバー９０の後端部側の外周面とノック体７０の後端部７２の外周面とが段差を生じない状態（面位置）で一体的に連なる形状になっている。
【００４１】
軸筒３０との連結部９１は、後方から見て略円筒状であって、その前端部には外径が縮径された縮径部９１ａが形成されている。この縮径部９１ａは、前述した外部鞘３４の段部３４ｂの内径とほぼ等しく設定されており、当該段部３４ｂに挿入される。
また、縮径部３４ｂの前端部の内周面には凸状部９１ｂが円周に沿って設けられており、内部鞘３２の後端部近傍の外周面上に形成された係合溝３２ｅに嵌合するようになっている。つまり、ノック体カバー９０は、凹凸構造により軸筒３０に連結されている。
かかる連結時に縮径部９１ａは外部鞘３４の段部３４ｂに挿入されることから、縮径部９１ａは外部から抑えられた状態となり、凸状部９１ｂが外側に外れることを防止し、より強硬に連結状態を維持することができる。
また、ノック体カバー９０と軸筒３０の連結状態において、軸筒３０とノック体カバー９０との外部に現れる境界における当接端面となる外部鞘３４の後端面３４ｅとこれに対向する連結部９１の端面９１ｃとは、互いに圧接するように角の寸法が設定されている。ノック体カバー９０を軸筒３０に連結する凹凸構造は前後方向に直交する方向に凹凸が生じており、これに対して後端面３４ｅと端面９１ｃの圧接による張力は前後方向に生じるので、当該圧接によって連結状態に影響を与えることはない。むしろ、かかる張力により縮径部９１ａが撓んで脱落することを防止する。そして、外部鞘３４の後端面３４ｅと連結部９１の端面９１ｃとが互いに圧接した状態で保持されることで、これらの間に隙間を生じることを効果的に防止することが可能である。
【００４２】
可撓部９３は、薄肉の膜状構造であって、各連結部９１，９２の外周面に連なって後方に向かうに従って徐々に縮径した略円錐形状を呈している。
さらに可撓部９３は、図６（Ｂ）に示すように、その薄肉構造により連結部９１の近傍と連結部９２の近傍とで折り畳まれたように撓むことを可能としている。そして、連結部９２の外径は連結部９１の内径よりも小さく設定されている。これらの条件により、可撓部９３は連結部９２を連結部９１の内側近傍に収納するように撓むことができ、さらに、その状態において、可撓部９３の外側となる部分は自らの弾性により、内側となる部分に対して縮径する方向に締め付ける弾性力を生じ、これにより、図６（Ｂ）に示す撓み状態を維持することが可能となっている。
このように、ノック体カバー９０全体は、連結部９２を連結部９１の内側近傍まで格納するように収縮することから、ノック体７０の押圧操作時において、軸筒３０の後端部の外径より外側に膨らむことなく収縮する。
さらに、ノック体７０が押圧操作されて使用位置にあるときには、前述したように、カム構造部８０はノック体７０の位置保持を行わず、ノック体７０は前後方向に対してフリーとなってしまうが、ノック体カバー９０の可撓部９３がその収縮時には撓み状態を維持するように作用することから、ノック体７０を押し込み位置に保持することが可能となる。
【００４３】
なお、ノック体カバー９０の可撓部９３における「薄肉」とは、縮径形状を維持する程度の剛性を有し、なお且つ、ノック体７０の押圧によりカバー９０のノック体側の端部（保持部９２）が軸筒側の端部（保持部９２）の内側に入り込むように折りたたむことが可能な程度の変形性を生じる程度の厚さが望ましい。
また、ノックカバーを折りたたむのに必要なノック操作の荷重は、２００ｇより大きいとボールペンレフィルの使用位置から待避位置の切り替え時の衝撃が大きく、ノック体又は軸筒からノック体カバーが外れやすくなり、５０ｇより小さいと、移動時や携帯時等、ノック操作以外の振動や衝撃でも、容易に撓むため、経時によってノックカバーが劣化する恐れがあるので、５０ｇ〜２００ｇが好ましい。ノック操作の荷重の測定は、プッシュプルスケールを用いて行い、計測軸端に先端が平坦なアタッチメントを取付けてノック体を押圧し、ボールペンレフィルを待機位置から使用位置に切り替えるのに必要な最大荷重を切り替え操作荷重とし、この切り替え操作荷重からノック体にノックカバーを備えていない状態で、ノック体を押圧し、ボールペンレフィルを待機位置から使用位置に切り替えるのに必要な荷重を、コイルバネを縮める荷重とし、切り替え操作荷重からコイルバネを縮める荷重を引いた荷重がノックカバーを折りたたむのに必要なノック操作の荷重としてある。
更にまた、弾性材料は、軸筒やノック体への連結や繰り返しによる折りたたみを考慮し、硬度（試験方法：ＪＩＳ  Ｋ６３０１、試験条件：ＪＩＳ−Ａ型）が２０〜７０（より好ましくは、３０〜５０）を用いることが望ましい。
【００４４】
（ノック式ボールペンの組み立て）
図７〜９はノック式ボールペン１０の組み立て工程を順番に示す説明図である。これに基づいてノック式ボールペン１０の組み立て工程を説明する。
図７はノック式ボールペン１０の前半部の組み立て工程を（Ａ）〜（Ｃ）の順番で示している。
まず、図７（Ａ）に示すように、胴リング３５に拡大レンズ３７をはめ合わせた状態で内部胴３１を前端部側から挿入し、大径部３１ａの段部３１ｂと胴リング３５の段部３５ａが互いに嵌合する位置まで胴リング３５を位置合わせする。また、胴リング３５に続いてワッシャー３６を装着する。
次に、図７（Ｂ）に示すように、外部胴３３を内部胴３１の前端部から装着する。このとき、外部胴３３の段部３３ｂは大径部３１ａの前端側に嵌合させる。
そして、図７（Ｃ）に示すように、前キャップ５０をキャップカバー５５の各突状部５５ａ，５５ｂを前キャップ５０の周溝５０ａ，５０ｂに嵌合させて装着し、前キャップ５０を内部胴３１の前端部に螺合させて装着する。これにより、外部胴３３は内部胴３１の大径部３１ａと前キャップ５０との挟まれた状態で保持される。
ここまでの工程によりノック式ボールペン１０の前半部の組み立てが完了する。
【００４５】
図８はノック式ボールペン１０の後半部の組み立て工程を（Ａ）〜（Ｄ）の順番で示している。
まず、図８（Ａ）に示すように、カム構造部８０の回転カム８２を押棒８１に挿入し、これらを内部鞘３２の前端部から挿入する。
次に、図８（Ｂ）に示すように、押棒８１の後端部を内部鞘３２の後端部から突出させてノック体７０を螺合装着する。
そして、図８（Ｃ）に示すように、ノック体７０の後端部をノック体カバー９０の前端部から挿入するように当該ノック体カバー９０をノック体７０に装着する。このとき、各連結部９１の凸状部９１ｂ，連結部９２は、それぞれ内部鞘３２の係合溝３２ｅとノック体７０の周溝７１とに嵌合させる。
そして、図８（Ｃ）に示すように、外部鞘３４の後端部を内部鞘３２の前端部から挿入するように当該外部鞘３４を内部鞘３２に装着する。このとき、内部鞘３２の各突状部３２ｂが外部鞘３４の溝部３４ｄに嵌合するように外部鞘３４の回転方向の向きを合わせるようにする。
ここまでの工程によりノック式ボールペン１０の後半部の組み立てが完了する。
なお、ノック式ボールペン１０の組み立てにおいて、前半部と後半部のいずれから先に行って良い。
【００４６】
図９はノック式ボールペン１０の最終的な組み立て工程を（Ａ），（Ｂ）の順番で示している。
まず、図９（Ａ）に示すように、ノック式ボールペン１０の前半部側の内部胴３１の後端部からコイルバネ６１を挿入し、その後からボールペンレフィル６０を挿入する。
さらに、ボールペンレフィル６０の後方からノック式ボールペン１０の後半部を装着する。そして、内部胴３１の大径部３１ａの雌ネジと内部鞘３２の前端部の雄ネジを螺合させることでこれらを連結すると、図９（Ｂ）に示すようにノック式ボールペン１０の組み立てが完了する。
【００４７】
（本実施形態の効果）
上記構成からなるノック式ボールペン１０は、ノック体カバー９０を後方に向かって徐々に縮径する形状とすると共に連結部９１，９２の間に薄肉の可撓部９３を設けたことにより、ノック体７０の押圧操作時に、可撓部９３が折り畳まれるように撓んで連結部９１の内側近傍まで連結部９２が押し込まれる。これにより、ノック体カバー９０は前後方向に収縮し、周囲に広がる方向には膨出しない。これにより、ノック体７０の押圧操作時にノック体カバー９０が操作の妨げとならないことから操作性の向上を図ることが可能となる。
【００４８】
また、ノック式ボールペン１０を筆立てや陳列ケース等に収納、或いは紙面の隙間に挿入して栞代わりに使用する場合等のようにボールペン１０を隙間に差し込む必要性が生じた場合に、ノック体カバー９０がノック体７０と軸筒３０との段差を解消し、ノック体カバー９０の略円錐形状の周面により後端部から円滑に挿入することを可能とする。従って、ボールペンを前端から収納、或いは挿入して、収納先や挿入先を汚してしまう不都合も解消することができる。更にまた、筆箱や陳列ケース等に、ノック体側を突出して収納した場合には、この状態からノック式ボールペンを取り出す時に、弾性材料のノック体カバーによって、滑り難く取り出すことができる。
【００４９】
また、ノック式ボールペン１０は、その両端部が略円錐形状を呈し、その両端部が同じ素材からなるカバー５５，９０を装着するので、ボールペン１０の前端部と後端部とを極めて近似的に対称の形状及び対称な外形とすることができる。このため、ノック式ボールペン１０は視覚的に極めて特徴的な印象を与えると共にシルエットからも容易に認識することができる。これにより、他の筆記具と混在しているような状況下でも、ノック式ボールペン１０を容易に識別することができ、取り間違えを防止することが可能となる。
また、前キャップ５０とキャップカバー５５との境界、キャップカバー５５と外部胴３３との境界、外部鞘３４とノック体カバー９０との境界、ノック体カバー９０とノック体７０の境界について全て段差や隙間を生じない構造としていることから、視覚的にもシルエット的にもさらなる特徴的な印象を与えることから、ノック式ボールペン１０をさらに容易に識別することができる。
【００５０】
（その他）
ノック式筆記具の例としてノック式ボールペン１０を例示したが、これに限らず、他のノック式筆記具、例えば、ノック式のシャープペンシルにもノック体カバー９０を装備しても良い。
また、ノック体カバー９０の縮径形状は、略円錐状に限らず、段階的、即ち、複数の段により徐々に縮径する形状でも良い。但しその場合、ノック式ボールペン１０の後端部からの挿入の円滑性が若干損なわれる可能性があるが、ノック体カバー９０を装着しない場合に比べると、挿入の円滑性は向上する。
また、ノック体カバー９０の各連結部９１，９３は、凹凸構造の嵌合による連結方法に限定されるものではなく、少なくとも一方については、締め付けや接着、溶着などにより連結対象物に固定しても良い。その場合、自らの剛性により連結保持を行う必要がないので、可撓部９３よりも肉厚としなくとも良く、可撓部９３と同様に薄肉化しても良い。
【図面の簡単な説明】
【００５１】
【図１】本発明の実施形態であるノック式筆記具としてのノック式ボールペンの側面図である。
【図２】図１のＸ−Ｘ線に沿ったノック式ボールペンの断面図である。
【図３】胴リングの周辺を前後方向に沿った断面で示した断面図である。
【図４】図４（Ａ）は外部胴の後端部を後方から見た断面図であり、図４（Ｂ）は図４（Ａ）のＹ−Ｙ線に沿った断面図である。
【図５】図５（Ａ）はカム構造部の周辺における内部鞘の断面図であり、図５（Ｂ）は図５（Ａ）のＺ−Ｚ線に沿った断面図である。
【図６】図６はノック体の周囲の構成を示す断面図であり、図６（Ａ）はボールペンレフィルが待避位置にある状態、図６（Ｂ）は使用位置にある状態を示す。
【図７】図７はノック式ボールペンの前半部の組み立て工程を（Ａ）〜（Ｃ）の順番で示した説明図である。
【図８】図８はノック式ボールペンの後半部の組み立て工程を（Ａ）〜（Ｄ）の順番で示した説明図である。
【図９】図９はノック式ボールペンの最終的な組み立て工程を（Ａ），（Ｂ）の順番で示した説明図である。
【符号の説明】
【００５２】
１０  ノック式ボールペン（ノック式筆記具）
３０  軸筒
６０  ボールペンレフィル（筆記部材）
７０  ノック体
９０  ノック体カバー
９１，９２  連結部
９３  可撓部
【図１】
2008254328.tif 000003
【図２】
2008254328.tif 000004
【図３】
2008254328.tif 000005
【図４】
2008254328.tif 000006
【図５】
2008254328.tif 000007
【図６】
2008254328.tif 000008
【図７】
2008254328.tif 000009
【図８】
2008254328.tif 000010
【図９】
2008254328.tif 000011
【手続補正書】
【提出日】平成20年3月31日(2008.3.31)
【手続補正１】
【補正対象書類名】明細書
【補正対象項目名】００２８
【補正方法】変更
【補正の内容】
【００２８】
図４（Ａ）は外部鞘３４の後端部を後方から見た図であり、図４（Ｂ）は図４（Ａ）のＹ−Ｙ線に沿った断面図である。この図４に示すように、内部鞘３２と外部鞘３４とは、外部鞘３４の後端部から内部鞘３２が挿入されることにより結合される構造となっている。即ち、外部鞘３４の内周面上であって段部３４ｂよりも幾分前方の位置には、全周に渡って凸状となる係止凸部３４ｃが形成されている。これに対して、内部鞘３２の後端部近傍の外周面上には、内部鞘３２と外部鞘３４の後端部位置を揃えた状態において、外部鞘の係止凸部３４ｃより前側に位置する二つの小突起３２ａと係止凸部３４ｃより後側に位置する二つの突状部３２ｂとが突出して形成されている。つまり、これら小突起３２ａと突状部３２ｂとにより係止凸部３４ｃが挟まれることで、内部鞘３２と外部鞘３４とは互いの前後位置が決定される。
なお、二つの小突起３２ａは、内部鞘３２の円形の後端部を後方から見たときに、一の直径の両端部にそれぞれ配置され、二つの突状部３２ｂは、二つの小径部３２ａの両端に位置する直径に直交する直径の両端部にそれぞれ配置されている。
そして、各小径部３２ａは、内部鞘３２を外部鞘３４に挿入したときに、内部鞘３２又は外部鞘３４の弾性変形により係止凸部３４ｃを乗り越えることができるように、その突出量が設定されている。
また、各突状部３２ｂは、前後方向に沿った略直方体形状の突起であり、外部胴３４の段部３４ｂと係止凸部３４ｃとの間に形成された二つの溝部３４ｄに嵌合される。そして、各突状部３２ｂと各溝部３４ｄとが嵌合することにより、内部鞘３２と外部鞘３４とは、供回りするようになっている。
【手続補正２】
【補正対象書類名】明細書
【補正対象項目名】００４０
【補正方法】変更
【補正の内容】
【００４０】
ノック体カバー９０は、後方に向かうに従って縮径した形状（略円錐形状）であって、その前端部と後端部とが開口し内部が中空に形成されている。
そして、ノック体７０との連結部９２は、後方から見て略リング状であって、その中心部にノック体７０の後端部７２を貫通させた状態でノック体７０の周溝７１に嵌合する形状となっている。つまり、連結部９２の内周側が凸部となって凹部となる周溝７１に嵌合して相互の連結を図る構造となっている。
また、連結部９２の前後幅は、周溝７１の幅よりも幾分広く設定されており、凹凸構造による連結部とノック体７０との連結時において、連結部９２と後端部７２の境界となる端面同士が圧接して隙間を生じないようになっている。
そして、連結部９２の後端部の外径とノック体７０の後端部７２の外径とがほぼ等しく設定されている。また、連結部９２の外周面は傾斜しており、後端部７２の外周面の傾斜角度とほぼ等しく設定されている。これにより、ノック体カバー９０の後端部側の外周面とノック体７０の後端部７２の外周面とが段差を生じない状態（面位置）で一体的に連なる形状になっている。
【手続補正３】
【補正対象書類名】明細書
【補正対象項目名】００５１
【補正方法】変更
【補正の内容】
【００５１】
【図１】本発明の実施形態であるノック式筆記具としてのノック式ボールペンの側面図である。
【図２】図１のＸ−Ｘ線に沿ったノック式ボールペンの断面図である。
【図３】胴リングの周辺を前後方向に沿った断面で示した断面図である。
【図４】図４（Ａ）は外部鞘の後端部を後方から見た断面図であり、図４（Ｂ）は図４（Ａ）のＹ−Ｙ線に沿った断面図である。
【図５】図５（Ａ）はカム構造部の周辺における内部鞘の断面図であり、図５（Ｂ）は図５（Ａ）のＺ−Ｚ線に沿った断面図である。
【図６】図６はノック体の周囲の構成を示す断面図であり、図６（Ａ）はボールペンレフィルが待避位置にある状態、図６（Ｂ）は使用位置にある状態を示す。
【図７】図７はノック式ボールペンの前半部の組み立て工程を（Ａ）〜（Ｃ）の順番で示した説明図である。
【図８】図８はノック式ボールペンの後半部の組み立て工程を（Ａ）〜（Ｄ）の順番で示した説明図である。
【図９】図９はノック式ボールペンの最終的な組み立て工程を（Ａ），（Ｂ）の順番で示した説明図である。